(57)【要約】【課題】  ＩＰネットワークに接続された電話機と画像処理装置とを連携させて、通話者の間で画像データの送受信を実現することができる画像データの送受信システムおよびそれに用いる画像処理装置を提供する。【解決手段】  画像処理装置２３、２６は、呼制御サーバー２７とディレクトリサーバー２４とアドレス管理サーバー２８の機能を有する１つか複数の情報処理端末によって提供されるＩＰ電話サービスを使って自機と関連付けされたＩＰ電話機２１、２５が通話を行っている時に、通話者からの指示によって、通話元のＩＰ電話機の位置情報から通話先のＩＰ電話機と関連付けされた画像処理装置の位置情報を導出し、それぞれの画像処理装置がEnd to End接続によるデジタル画像データの送受信を行う画像データの送受信システム。【選択図】        図１
2005340917.tif 000002
【特許請求の範囲】
【請求項１】
複数の画像処理装置がＩＰネットワーク接続された画像データの送受信システムにおいて、画像処理装置は、ＶｏＩＰを利用して音声通話が可能な端末であるＩＰ電話機の発着信サービスを行う情報処理端末である呼制御サーバーに接続して、発信側と着信側のＩＰ電話機の位置情報を導出するための第１サーバー接続手段と、ＩＰ電話機の位置情報と、画像処理装置自身の位置情報とを関連付けて管理する情報処理端末であるディレクトリサーバーに接続して、ＩＰ電話機の位置情報から、関連付けされた前記画像処理装置の位置情報を導出するための第２サーバー接続手段と、ＩＰ電話機のＩＰアドレスと、ＩＰアドレス以外の位置情報であるエイリアスアドレスとを関連付けて管理する情報処理端末であるアドレス管理サーバーに接続して、ＩＰ電話機のエイリアスアドレスからＩＰアドレスを導出するための第３サーバー接続手段を有し、
画像処理装置は、呼制御サーバーとディレクトリサーバーとアドレス管理サーバーの機能を有する１つか複数の情報処理端末によって提供されるＩＰ電話サービスを使って画像処理装置と関連付けされたＩＰ電話機が通話を行っている時に、通話者からの指示によって、通話元のＩＰ電話機の位置情報から通話先のＩＰ電話機と関連付けされた他の画像処理装置の位置情報を導出し、それぞれの画像処理装置がEnd to End接続によるデジタル画像データの送受信を行うことを特徴とする画像データの送受信システム。
【請求項２】
請求項１記載の画像データの送受信システムにおいて、End to End接続によるデジタル画像データの送受信を行うために実施するNegotiation動作として、送信側が受信側へデジタル画像データの受信要求を行い、その返答として、受信側から送信許可と送信に必要な情報をもらってからデジタル画像データの送信を開始するSend Message動作と、受信側から送信側へデジタル画像データの送信要求と送信に必要な情報を送り、その返答として送信側がデジタル画像データの送信を開始するGet Message動作のいずれかを選択できる選択動作が含まれ、実施する動作は、通話者が選択することを特徴とする画像データの送受信システム。
【請求項３】
請求項１記載の画像データの送受信システムにおいて、ＩＰネットワークを経由してテキストデータをリアルタイムに送受信するために定められたプロトコルスタックを利用して、テキストデータによるNegotiation動作を行うことを特徴とする画像データの送受信システム。
【請求項４】
請求項１記載の画像データの送受信システムにおいて、画像処理装置にアラーム音を鳴らすための機能を付加し、Negotiation動作で交わされる送信要求、または受信要求を検知した時にアラーム音を鳴らすことを特徴とする画像データの送受信システム。
【請求項５】
請求項１記載の画像データの送受信システムに適用される画像処理装置。
【発明の詳細な説明】
【技術分野】
【０００１】
本発明は、ラスター走査によって画像情報を読み取り、その複製物を紙面上に再生することができる複数の画像処理装置がＩＰネットワークに接続された画像データ送受信システム及びその画像処理装置に関するものである。
【背景技術】
【０００２】
電話では音声通話しかできないが、通話中に会話を助けるための手段として通話先の相手と即座に紙文書のやりとりがしたいという要求がある。
例えば、営業担当者が電話を使って顧客と商談中に、手元にあるパンフレットをすぐに顧客へ渡し、パンフレットを営業担当者と顧客とで一緒に見ながら商談を続けたいといった要望がある。また、電話会議を行っている最中に、通話先の会議室にいる参加者と会議資料を交換し合い、一緒に見ながら会議を続けたいといった要望もある。さらに、電話で雑談をしている時に、手元にある雑誌の切り抜きやスーパーマーケットなどの広告などを交換し合い、一緒に見ながら会話を続けたいといった要望もある。
これらの要望を、既存の公衆回線のみを使って解決するならば、次のような方法により実現することができる。まず、公衆回線を２本用意し、１本は通話のために、もう１本はＦＡＸの送受信を行うために使用する。もしも通話中に紙文書のやりとりが必要になったならばＦＡＸを使って紙文書を送受信する。この事例では、公衆回線が２本必要になるため、通信コストが高くつくといった問題がある。また、ＦＡＸで紙文書を送受信すると、解像度や階調数といった画質の面で見劣りすることも多い。
一方、これらの要望を既存の公衆回線とＩＰネットワークを使って解決するならば、次のような方法により実現することができる。音声の通話は公衆回線を使って行い、紙文書のやりとりはＩＰネットワークを使って行う。もしも通話中に紙文書のやりとりが必要になったならば、まず、渡したい文書をスキャナで読み取り、電子ファイルを作成する。次に、パソコンから電子メールを使って相手に電子ファイルを渡す。
受け取った相手は、電子ファイルをディスプレイか紙面に再生して閲覧する。この事例では、電子ファイルを作成し、閲覧するための作業と、電子メールを送受信する作業が通話中に発生してしまうため、通話が中断してしまい利便性が悪い。
いずれの事例においても一長一短があり、「隣に居る人へ紙文書を手渡しする様な感覚で、通話先の相手と紙文書をやり取りする」ための技術については、現在でも開発が続けられている。
【０００３】
近年、ＩＰネットワークを使って音声通話を行うサービス（ＩＰ電話サービス）が登場した。企業では内線電話としてＩＰ電話サービスを導入する所が増え、一般家庭でもＩＳＰ（インターネット・サービス・プロバイダ）が提供するＩＰ電話サービスを利用する世帯が増えている。
ＩＰ電話機はＩＰネットワークに接続しているため、パソコンなどの情報処理端末と連携したアプリケーションを開発することが可能である。実際に、ＣＴＩ（Computer Telephony Integration）サービスとして、様々なアプリケーションが開発され、企業の顧客管理システムなどに利用されている。
また、画像処理装置の分野でも、インターネットの普及に伴い、ＩＰネットワークへ接続できるものが登場した。１つ例を挙げるならばネットワーク複合機がある。現在のところ、これらの主な用途としては、パソコンで作成した文書ファイルを印刷したり（ネットワークプリンタ）、紙文書を読み取ってパソコンに転送したり（ネットワークスキャナ）と、パソコンの周辺機器という立場で使用されることが多い。
しかし、現在検討が進められているＩＰｖ６（Internet Protocol version 6）やＵＰｎＰ（Universal Plug and Play）と呼ばれる技術が実用化されれば、ＩＰネットワークに接続する全ての画像処理装置にグローバルなＩＰアドレスが付与できるようになるので、画像処理装置とＩＰ電話機とを連携させたＣＴＩサービスも登場し拡大していくことが予想される。
この様な背景から、近い将来、ＩＰ電話機を使って通話中に、通話先の相手とリアルタイムに紙文書のやりとりをしたいといった要望が出てくることは必須で、それの解決策として、画像処理装置とＩＰ電話機とを連携させたＣＴＩサービスが適用できる。
画像処理装置をＣＴＩサービスへ応用した技術としては、例えば、特許文献１や２などがある。
特許文献１に示された印刷システム及び印刷課金システムは、携帯電話を使ってネットワークサーバー内に蓄積されている電子ファイルを閲覧し、その内容をＩＰネットワークに接続された画像処理装置から印刷するサービスを提供する技術である。
また、特許文献２に示されたデータ伝送装置及びデータ伝送方法は、インターネットＦＡＸ端末が公衆回線を利用して互いの情報を交換し合い、ユーザーに代わって煩わしい作業を行うサービスを提供する技術である。
【特許文献１】特開２００３−０９１４０４公報
【特許文献２】特開２００２−０４４１５６公報
【発明の開示】
【発明が解決しようとする課題】
【０００４】
現在のところ、ＩＰネットワークに接続された電話機と画像処理装置とを連携させて、通話者の間で画像データの送受信を実現する技術は提案されていないが、上述したような背景からその要求は高まってきている。
本発明は、ＩＰネットワークに接続された電話機と画像処理装置とを連携させて、通話者の間で画像データの送受信を実現することができる画像データの送受信システムおよびそれに用いられる画像処理装置を提供することを目的とする。
【課題を解決するための手段】
【０００５】
上記目的を達成するために、請求項１記載の発明は、複数の画像処理装置がＩＰネットワーク接続された画像データの送受信システムにおいて、画像処理装置は、ＶｏＩＰを利用して音声通話が可能な端末であるＩＰ電話機の発着信サービスを行う情報処理端末である呼制御サーバーに接続して、発信側と着信側のＩＰ電話機の位置情報を導出するための第１サーバー接続手段と、ＩＰ電話機の位置情報と、画像処理装置自身の位置情報とを関連付けて管理する情報処理端末であるディレクトリサーバーに接続して、ＩＰ電話機の位置情報から、関連付けされた前記画像処理装置の位置情報を導出するための第２サーバー接続手段と、ＩＰ電話機のＩＰアドレスと、ＩＰアドレス以外の位置情報であるエイリアスアドレスとを関連付けて管理する情報処理端末であるアドレス管理サーバーに接続して、ＩＰ電話機のエイリアスアドレスからＩＰアドレスを導出するための第３サーバー接続手段を有し、画像処理装置は、呼制御サーバーとディレクトリサーバーとアドレス管理サーバーの機能を有する１つか複数の情報処理端末によって提供されるＩＰ電話サービスを使って画像処理装置と関連付けされたＩＰ電話機が通話を行っている時に、通話者からの指示によって、通話元のＩＰ電話機の位置情報から通話先のＩＰ電話機と関連付けされた他の画像処理装置の位置情報を導出し、それぞれの画像処理装置がEnd to End接続によるデジタル画像データの送受信を行う画像データの送受信システムを最も主要な特徴とする。
【０００６】
請求項２記載の発明は、請求項１記載の画像データの送受信システムにおいて、End to End接続によるデジタル画像データの送受信を行うために実施するNegotiation動作として、送信側が受信側へデジタル画像データの受信要求を行い、その返答として、受信側から送信許可と送信に必要な情報をもらってからデジタル画像データの送信を開始するSend Message動作と、受信側から送信側へデジタル画像データの送信要求と送信に必要な情報を送り、その返答として送信側がデジタル画像データの送信を開始するGet Message動作のいずれかを選択できる選択動作が含まれ、実施する動作は、通話者が選択する画像データの送受信システムを主要な特徴とする。
請求項３記載の発明は、請求項１記載の画像データの送受信システムにおいて、ＩＰネットワークを経由してテキストデータをリアルタイムに送受信するために定められたプロトコルスタックを利用して、テキストデータによるNegotiation動作を行う画像データの送受信システムを主要な特徴とする。
請求項４記載の発明は、請求項１記載の画像データの送受信システムにおいて、画像処理装置にアラーム音を鳴らすための機能を付加し、Negotiation動作で交わされる送信要求、または受信要求を検知した時にアラーム音を鳴らす画像データの送受信システムを主要な特徴とする。
請求項５記載の発明は、請求項１記載の画像データの送受信システムに適用される画像処理装置を最も主要な特徴とする。
【発明の効果】
【０００７】
本発明によれば、複数の画像処理装置がＩＰネットワーク接続された画像データの送受信システムにおいて、画像処理装置は、ＶｏＩＰを利用して音声通話が可能な端末であるＩＰ電話機の発着信サービスを行う情報処理端末である呼制御サーバーに接続して、発信側と着信側のＩＰ電話機の位置情報を導出するための第１サーバー接続手段と、ＩＰ電話機の位置情報と、画像処理装置自身の位置情報とを関連付けて管理する情報処理端末であるディレクトリサーバーに接続して、ＩＰ電話機の位置情報から、関連付けされた前記画像処理装置の位置情報を導出するための第２サーバー接続手段と、ＩＰ電話機のＩＰアドレスと、ＩＰアドレス以外の位置情報であるエイリアスアドレスとを関連付けて管理する情報処理端末であるアドレス管理サーバーに接続して、ＩＰ電話機のエイリアスアドレスからＩＰアドレスを導出するための第３サーバー接続手段を有し、画像処理装置は、呼制御サーバーとディレクトリサーバーとアドレス管理サーバーの機能を有する１つか複数の情報処理端末によって提供されるＩＰ電話サービスを使って画像処理装置と関連付けされたＩＰ電話機が通話を行っている時に、通話者からの指示によって、通話元のＩＰ電話機の位置情報から通話先のＩＰ電話機と関連付けされた他の画像処理装置の位置情報を導出し、それぞれの画像処理装置がEnd to End接続によるデジタル画像データの送受信を行うことで、ＩＰ電話機を使って通話を行っている相手と簡単にデジタル画像データの送受信を行うことが可能になる。
【０００８】
また、End to End接続によるデジタル画像データの送受信を行うために実施するNegotiation動作として、送信側が受信側へデジタル画像データの受信要求をし、その返答として、受信側から送信許可と送信に必要な情報をもらってからデジタル画像データの送信を開始するSend Message動作と、受信側から送信側へデジタル画像データの送信要求と送信に必要な情報を送り、その返答として送信側がデジタル画像データの送信を開始するGet Message動作のいずれかを選択できる選択動作が含まれ、実施する動作は、通話者が選択することで、ＩＰ電話機を使って通話を行っている相手とデジタル画像データを送受信が必要となる様々な状況に対応することが可能になる。
また、ＩＰネットワークを経由してテキストデータをリアルタイムに送受信するために定められたプロトコルスタックを利用して、テキストデータによるNegotiation動作を行うことで、ＩＰネットワークに接続された種々の画像処理装置との整合性が増し、Negotiation動作に必要なソフトウェア及びハードウェアの開発も容易になる。
画像処理装置にアラーム音を鳴らすための機能を付加し、画像処理装置は、Negotiation動作で交わされる送信要求、または受信要求を検知した時にアラーム音を鳴らすことで、通話者は自分のＩＰ電話機と関連付けされた画像処理装置を容易に見つけることが可能になる。
【発明を実施するための最良の形態】
【０００９】
以下、図面を参照して、本発明の実施形態を詳細に説明する。
図１は本発明の画像データの送受信システムに適用される画像処理装置の構成図である。
ＳＢＵ（センサーボードユニット）１は、原稿を光学的に読み取るためのユニットである。光源から照射した光は原稿で反射し、その反射光は受光素子へ集められる。受光素子は、集められた光の強度をアナログの電気信号に変換するためのデバイスで、本実施形態ではＣＣＤ（電化結合素子）を使用する。ＣＣＤから出力されるアナログの電気信号は、量子化された後にデジタル画像データとしてＳＢＵ１からＣＤＩＣ（通信コントローラ）３に出力される。
ＩＰＰ（画像処理プロセッサ）２はデジタル画像データに対して画像処理を行うためのユニットである。ユーザーの嗜好や、自機の特徴（光学系およびデジタル信号への量子化に伴う信号の劣化）に合わせて、デジタル画像データの周波数特性や階調特性などを補正・最適化する。
ＣＤＩＣ（通信コントローラ）３は、各ユニット間で行われるデジタル画像データの送受信を円滑に行うためのユニットである。ＳＢＵ１、ＩＰＰ２がデジタル画像データの送受信を行う場合、デジタル画像データの伝送を制御するため必ずＣＤＩＣ３を中継する。
ＩＭＡＣ（メモリコントローラ）４は、デジタル画像データのフォーマットを変換し、ＭＥＭ（メモリモジュール）５とのアクセスを行う。ＭＥＭ５は、デジタル画像データを保存するためのユニットで、ＳＢＵ１で読み取った画像や、ＩＰネットワーク６を経由して他の画像処理装置から送られてきた画像は、一旦、ここに蓄積される。
ＮＣＵ（ネットワークコントローラ）７は、ＩＰネットワーク６に接続された自機以外の端末と、デジタルデータの送受信を行うためのユニットである。送信時は、ＩＰネットワーク６の通信プロトコルに従ってデータを加工し、ＩＰネットワーク６へ出力する。また受信時は、ＩＰネットワーク６の通信プロトコルに従って加工されたデータから、本来の受信データを再生する。
ＶＣＵ（ビデオ制御ユニット）８は、紙面に画像を再生するためのユニットである。デジタル画像データから、紙面に印刷すべきドットの位置と大きさと色を判断し、それらのドットを印刷していくことで紙面に画像が再生される。液晶タッチパネル９は、ユーザーが本画像処理装置を使用する際に必要となる情報を表示し、またユーザーが表示画面に触れることで、種々の設定を行う。
【００１０】
プロセスコントローラ１０は、ＳＢＵ１、ＩＰＰ２、ＣＤＩＣ３、ＶＣＵ８の動作を制御する。それぞれに必要な設定を行ったり、起動、終了、処理経過などを監視する。また、システムコントローラ１１は、ＩＭＡＣ４やＮＣＵ７、ＭＥＭ５、液晶タッチパネル９、スピーカー１２の動作を制御する。それぞれに必要な設定を行ったり、起動、終了、処理の経過を監視する。スピーカー１２は、システムコントローラ１１からの指示によってアラーム音を鳴らす。
ローカルバスによってＩＭＡＣ４と接続されているＲＡＭ１３−１及びＲＯＭ１４−１には、システムコントローラ１１やＩＭＡＣ４、液晶タッチパネル９、ＭＥＭ５、ＮＣＵ７が処理を行う際に必要となる情報が保存されている。
例えば液晶タッチパネル９に文字や図柄を表示するための文字情報やビットマップ情報、またＭＥＭ５に蓄積可能なデジタル画像データの総量や残量、またＮＣＵ７が外部端末へアクセスするためのプロトコル情報や、ユーザーが液晶タッチパネル９から入力した情報などが保存されている。ＩＭＡＣ４やＭＥＭ５、ＮＣＵ７、液晶タッチパネル９、またシステムコントローラ１１の中にプロセッサが搭載されている場合には、その動作を記述したプログラムもここに蓄積される。
シリアルバスに接続されているＲＡＭ１３−２及びＲＯＭ１４−２には、ＳＢＵ１、ＩＰＰ２、ＣＤＩＣ３、ＶＣＵ８、プロセスコントローラ１０が処理を行う際に必要となる情報が蓄積される。
例えば、ＳＢＵ１で読み取る画像の大きさやＣＣＤの光学特性、ＩＰＰ２で実行する画像処理のパラメータなどが蓄積されている。ＳＢＵ１、ＩＰＰ２、ＣＤＩＣ３、ＶＣＵ８、プロセスコントローラ１０の中にプロセッサが搭載されている場合には、その動作を記述したプログラムもここに蓄積される。
なお、特許請求の範囲の記載において、呼制御サーバーに接続して発信側と着信側のＩＰ電話機の位置情報を導出するための第１サーバー接続手段と、ディレクトリサーバーに接続して、ＩＰ電話機の位置情報から、関連付けされた前記画像処理装置の位置情報を導出するための第２サーバー接続手段と、アドレス管理サーバーに接続して、ＩＰ電話機のエイリアスアドレスからＩＰアドレスを導出するための第３サーバー接続手段とは、システムコントローラ１１およびＮＣＵ７が司っている機能である。
【００１１】
次に、本発明の画像処理装置の基本動作であるScan to Memory動作、Memory to Print動作、Find動作、Send Message動作、Get Message動作、Negotiation動作、Memory to Network動作、Network to Memory動作のそれぞれについて動作例を説明する。
Scan to Memory動作とは、ＳＢＵ１で原稿を読み取り、そのデジタル画像データをＭＥＭ５へ蓄積する動作のことである。ユーザーは、ＳＢＵ１内に設置された原稿台に文書を置き、液晶タッチパネル９から種々の読み取り条件を設定する（図２参照）。
確定ボタンが押されると、ユーザーが設定した読み取り条件は、プロセスコントローラ１０とシステムコントローラ１１へ転送される。プロセスコントローラ１０は、転送された読み取り条件をＲＡＭ１３−２へ保存し、また読み取り条件に従った動作をＳＢＵ１とＩＰＰ２とＣＤＩＣ３へ指示する。システムコントローラ１１は、転送された読み取り条件をＲＡＭ１３−１へ保存し、また読み取り条件に従った動作を、ＩＭＡＣ４とＭＥＭ５へ指示する。
各ユニットへの指示が完了すると、ＳＢＵ１は原稿台に置かれた文書を読み取り、そのデジタル画像データをＣＤＩＣ３へ転送する。ＣＤＩＣ３はＳＢＵ１から転送されたデジタル画像データをＩＰＰ２へ転送する。ＩＰＰ２はＳＢＵ１の光学特性を補償するための画像処理を行い、画像処理されたデジタル画像データはＣＤＩＣ３へ転送される。ＣＤＩＣ３はＩＰＰ２から転送されたデジタル画像データを、パラレルバスを経由してＩＭＡＣ４へ転送する。
ＩＭＡＣ４はデジタル画像データをＭＥＭ５に蓄積可能な保存形式へ変換してＭＥＭ５へ保存する。Scan to Memory動作中、ＳＢＵ１とＩＰＰ２とＣＤＩＣ３の状態は、逐次プロセスコントローラ１０へ通知され、またＩＭＡＣ４とＭＥＭ５の状態は、逐次システムコントローラ１１へ通知される。デジタル画像データの保存が終了すると、システムコントローラ１１は液晶タッチパネル９にその旨を表示し、Scan to Memory動作を終了する。
【００１２】
Memory to Print動作とは、ＭＥＭ５に蓄積されたデジタル画像データを再生画像として紙面に出力する動作のことである。ユーザーは、液晶タッチパネル９（図３参照）から種々の印刷条件を設定する。確定ボタンが押されると、ユーザーが設定した印刷条件は、プロセスコントローラ１０とシステムコントローラ１１へ転送される。
プロセスコントローラ１０は、転送された印刷条件をＲＡＭ１３−２へ保存し、また印刷条件に従った動作をＣＤＩＣ３とＩＰＰ２とＶＣＵ８へ指示する。システムコントローラ１１は、転送された印刷条件をＲＡＭ１３−１へ保存し、また印刷条件に従った動作を、ＩＭＡＣ４とＭＥＭ５へ指示する。
各ユニットへの指示が完了すると、ＩＭＡＣ４は紙面に出力する画像の元となるデジタル画像データをＭＥＭ５から読み出して、保存する前の画像形式へ戻す。それからパラレルバスを経由してデジタル画像データをＣＤＩＣ３へ転送する。ＣＤＩＣ３はＩＭＡＣ４から転送されたデジタル画像データをＩＰＰ２へ転送する。ＩＰＰ２はユーザーが設定した印刷条件やＶＣＵ８の印刷特性を補償するための画像処理を行い、画像処理されたデジタル画像データはＶＣＵ８へ転送される。
ＶＣＵ８はＩＰＰ２から転送されたデジタル画像データを紙面上に再生する。Memory to Print動作中、ＩＰＰ２とＣＤＩＣ３とＶＣＵ８の状態は、逐次プロセスコントローラ１０へ通知され、またＩＭＡＣ４とＭＥＭ５の状態は、逐次システムスコントローラ１１へ通知される。ＶＣＵ８による画像の再生が終了すると、システムコントローラ１１は液晶タッチパネル９にその旨を表示し、Memory to Print動作を終了する。
【００１３】
Find動作とは、通話元のＩＰ電話機の電話番号から、通話先のＩＰ電話機と関連付けされた画像処理装置のＩＰアドレスを導出する動作のことである。ユーザーは液晶タッチパネル９（図４参照）を使って、自分が通話に使用しているＩＰ電話機の電話番号を入力する。
確定ボタンが押されると、入力された電話番号はシステムコントローラ１１へ転送される。システムコントローラ１１は、転送された電話番号をＲＡＭ１３−１へ保存し、またＮＣＵ７へ転送する。ＮＣＵ７は、アドレス管理サーバーの機能を持つ１つまたは複数の情報処理端末へＩＰネットワーク６を使って接続し、転送された通話元の電話番号から、通話元のＩＰ電話機に付与されているＩＰアドレス（以降、発ＩＰアドレス）を導出する。
導出に成功した場合は次の工程へ進み、導出に失敗した場合はシステムコントローラ１１へエラーメッセージを送信する。発ＩＰアドレスの導出に成功した場合、ＮＣＵ７はディレクトリサーバーの機能をもつ１つまたは複数の情報処理端末へＩＰネットワークを使って接続し、発ＩＰアドレスが自機と関連付けされたものであるか否かを調査する。
関連付けされている場合は次の工程へ進み、関連付けされていない場合はシステムコントローラ１１へエラーメッセージを送信する。調査の結果、発ＩＰアド列が自機と関連付けられたものである場合、ＮＣＵ７は呼制御サーバーの機能を持つ１つまたは複数の情報処理端末へＩＰネットワークを使って接続し、発ＩＰアドレスから通話先のＩＰ電話機のＩＰアドレス（以降、着ＩＰアドレス）を導出する。
着ＩＰアドレスの導出に成功した場合は次の工程に進み、失敗した場合はシステムコントローラ１１へエラーメッセージを送信する。着ＩＰアドレスの導出に成功した場合、ＮＣＵ７はディレクトリサーバーの機能をもつ１つまたは複数の情報処理端末へＩＰネットワークを使って接続し、着ＩＰアドレスから通話先のＩＰ電話機と関連付けされている画像処理装置のＩＰアドレスを導出する。
通話先のＩＰ電話機と関連付けされている画像処理装置のＩＰアドレスの導出に成功した場合は、通話先のＩＰ電話機と関連付けされている画像処理装置の着ＩＰアドレスをシステムコントローラ１１へ送信し、導出に失敗した場合はシステムコントローラ１１へエラーメッセージを送信する。システムコントローラ１１は、ＮＣＵ７から通話先のＩＰ電話機と関連付けされている画像処理装置の着ＩＰアドレスを受信した時は、それをＲＡＭ１３−１へ保存してＦｉｎｄ動作を終了する。また、各工程でエラーメッセージを受信した時は、その旨を液晶タッチパネル９へ表示してFind動作を終了する。
【００１４】
Send Message動作とは、システムコントローラ１１が作成したテキストデータを他の画像処理装置へ送信する動作のことである。後述するNegotiation動作にて、複数の画像処理装置がテキストデータを交換する時に使用される。
システムコントローラ１１はテキストデータを作成すると、それらをインスタントメッセージングやチャットで使用されるデータ形式（以降、擬似テキストメッセージ）に変換してＮＣＵ７へ渡す。ＮＣＵ７はシステムコントローラ１１から渡された擬似テキストメッセージをＩＰネットワーク６へ出力する。
Get Message動作とは、他の画像処理装置から送られてくるテキストメッセージを受信してシステムコントローラ１１へ届ける動作のことである。Send Message動作と同様に、後述するNegotiation動作で必要になる。
他の画像処理装置から送られてくるデータはまずＮＣＵ７へ到達するので、ＮＣＵ７は到着したデータから擬似テキストメッセージを再生し、システムコントローラ１１へ渡す。システムコントローラ１１は、渡された擬似テキストメッセージから本来のテキストメッセージを再生する。
【００１５】
Negotiation動作とは、Find動作によって見つけ出した通話先のＩＰ電話機と関連付けされている画像処理装置と交渉し、デジタル画像データの送受信を行う経路を作る動作のことである。本実施例の説明においては、デジタル画像データを送信する画像処理装置を発端末、受信する画像処理装置を受端末と呼ぶことにする。
Negotiation動作には、発端末が受端末へデジタル画像データの受信を要求する場合（以降、Direct）と、受端末が発端末へデジタル画像データの送信を要求する場合（以降、Call Back）の２種類があるので、それぞれ順番に説明する。
Directでは、まずユーザーが画像処理装置に対して、デジタル画像データを送信する液晶タッチパネル９（図５参照）から“画像を送信する”旨の指示を出す。液晶タッチパネル９は、ユーザーからの指示を取得するとそれをシステムコントローラ１１へ通知する。
システムコントローラ１１は、デジタル画像データの受信を要求するメッセージ（以降、受信要求）と、発端末の名称やＩＰ電話機の電話番号といった身元情報（以降、発端末ＩＤ）をテキストデータとして作成しSend Message動作によって受端末へ送る。
次に受端末のシステムコントローラ１１はGet Message動作によって、発端末からの受信要求と発端末ＩＤを取得し、それらを液晶タッチパネル９に表示する（図６）。そしてアラームを鳴らす。受端末側のユーザーは、発端末ＩＤを確認して、受信要求に対する返答を行う。
返答は「容認」または「拒絶」のいずれかで、受端末の液晶タッチパネル９から入力する。液晶タッチパネル９は受信要求に対する返答が入力されると、返答の内容を受端末のシステムコントローラ１１へ渡す。受端末のシステムコントローラ１１は返答の内容をSend Message動作にて発端末へ送信する。
発端末のシステムコントローラ１１はGet Messageにて返答の内容を取得すると、「拒絶」ならば、その旨を液晶タッチパネル９へ表示してNegotiation動作を終了する。「容認」ならば、さらに、Send Message動作とGet Message動作を繰り返して、デジタル画像データに必要な種々の情報を交換し合う（以降、能力交換）。能力交換が終了すると、それぞれのシステムコントローラ１１は液晶タッチパネル９上にその旨を通知して、Negotiation動作を終了する。
【００１６】
Call Backでは、まずユーザーが画像処理装置に対して、デジタル画像データを受信するように液晶タッチパネル９（図５参照）から“画像を受信する”旨の指示を出す。液晶タッチパネル９はユーザーからの指示を取得すると、それをシステムコントローラ１１へ通知する。
システムコントローラ１１は、デジタル画像データの送信を要求するメッセージ（以降、送信要求）と、受端末の名称やＩＰ電話機の電話番号といった身元情報（以降、受端末ＩＤ）をテキストデータとして作成しSend Message動作にて発端末へ送る。
次に発端末のシステムコントローラ１１はGet Message動作によって受端末からの送信要求と受端末ＩＤを取得しそれらを液晶タッチパネル９に表示する（図７）。そしてアラームを鳴らす。発端末側のユーザーは、受端末ＩＤを確認して送信要求に対する返答を行う。返答は「容認」または「拒絶」のいずれかで、液晶タッチパネル９から入力する。発端末の液晶タッチパネル９は送信要求に対する返答が入力されると、返答の内容を発端末のシステムコントローラ１１へ渡す。発端末のシステムコントローラ１１は返答の内容をSend Message動作にて受端末へ送信する。
受端末のシステムコントローラはGet Messageにて返答の内容を取得すると、「拒絶」ならば、その旨を受端末の液晶タッチパネル９へ表示してNegotiation動作を終了する。「容認」ならば、さらに、Send Message動作とGet Message動作を繰り返して、デジタル画像データに必要な種々の情報を交換し合う（以降、能力交換）。能力交換が終了すると、それぞれのシステムコントローラ１１は液晶タッチパネル９上にその旨を通知して、Negotiation動作を終了する。
このようにNegotiation動作には送信側が受信側へデジタル画像データの受信要求を行い、その返答として、受信側から送信許可と送信に必要な情報をもらってからデジタル画像データの送信を開始するSend Message動作と、受信側から送信側へデジタル画像データの送信要求と送信に必要な情報を送り、その返答として送信側がデジタル画像データの送信を開始するGet Message動作のいずれかを選択できる選択動作が含まれ、実施するNegotiation動作は、通話者が選択することができる。
【００１７】
Memory to Network動作とは、ＭＥＭ５に蓄積されたデジタル画像データを接続先の画像処理装置へ送信する動作のことである。ＩＭＡＣ４はＭＥＭ５からデジタル画像データを読み出して、保存する前の画像形式へ戻す。それからパラレルバスを経由してＣＤＩＣ３へデジタル画像データを転送する。
ＣＤＩＣ３はＩＭＡＣ４から転送されたデジタル画像データをＩＰＰ２へ転送する。ＩＰＰ２ではデジタル画像データをNegotiation動作で決定した画像形式へ変換するための画像処理を行う。ＩＰＰ２で画像処理されたデジタル画像データは再びＣＤＩＣ３へ転送される。
ＣＤＩＣ３はＩＰＰ２から転送されたデジタル画像データを、パラレルバスを経由してＮＣＵ７へ転送する。ＮＣＵ７はデジタル画像データをＩＰネットワーク６に出力する。Memory to Networkの動作中、ＩＭＡＣ４とＭＥＭ５とＮＣＵ７の状態は逐次システムコントローラ１１へ通知される。ＮＣＵ７によるデジタル画像の出力が終了すると、システムコントローラ１１は液晶タッチパネル９にその旨を表示し、Memory to Network動作を終了する。
尚、ＩＰネットワーク６上に出力されたデジタル画像データは、ＩＰネットワーク６の通信プロトコルに従う様に加工されているので、種々の情報処理端末を経由して接続先の画像処理装置まで到達する。
【００１８】
Network to Memory動作とは、接続先の画像処理装置からデジタル画像データを受信してＭＥＭ５へ蓄積する動作である。ＮＣＵ７は、ＩＰネットワーク６を経由して到着したデータから、Negotiation動作で決定した画像形式のデジタル画像データを再生する。次にＮＣＵ７は、再生したデジタル画像データを、パラレルバスを経由してＣＤＩＣ３へ転送する。
ＣＤＩＣ３はＮＣＵ７から転送されたデジタル画像データをＩＰＰ２へ転送する。ＩＰＰ２はＣＤＩＣ３から転送されたデジタル画像データを、自機に都合の良い画像形式へ変換するための画像処理を行う。ＩＰＰ２は画像処理されたデジタル画像データを再びＣＤＩＣ３へ転送する。ＣＤＩＣ３はＩＰＰ２から転送されたデジタル画像データを、パラレルバスを経由してＩＭＡＣ４へ転送する。
ＩＭＡＣ４はデジタル画像データをＭＥＭ５が指定する保存形式へ変換してＭＥＭ５へ保存する。Network to Memoryの動作中、ＩＭＡＣ４とＭＥＭ５とＮＣＵ７の状態は、逐次システムコントローラ１１へ通知される。デジタル画像の保存が終了すると、システムコントローラ１１は液晶タッチパネル９にその旨を表示し、Memory to Network動作を終了する。
これらの基本動作は１つだけを実行しても、複数の基本動作を組み合わせて実行しても良い。後者の場合、ユーザーが液晶タッチパネル９から種々の設定を行うタイミングは、必ずしも各基本動作の間である必要は無い。任意のタイミングにおいて、まとめて設定を済ませても構わない。なぜなら、設定内容はＲＡＭ１３−１かＲＡＭ１３−２のいずれかに保存されており、システムコントローラ１１は随時、設定内容を読み出すことができるからである。
【００１９】
次に、本発明の画像処理装置が、「ＩＰ電話機を使って通話中に、通話先の相手とリアルタイムに紙文書のやりとりをしたい」といった要望を解決する実施形態を示す。
図８は本発明の第１の実施形態に係る画像データの送受信システムの構成図である。外出中の営業担当者（以降、甲）が携帯型のＩＰ電話機２１を使って、オフィスにいる社員（以降、乙）と会話を行い、オフィスから紙文書を受け取る場面を想定する。
甲はコンビニエンスストアに立ち寄り、店内に設置されたホットスポット２２を利用して、携帯型のＩＰ電話機２１をＩＰネットワーク６へ接続し、オフィスへ電話をかける。店内には本発明の画像処理装置（以降、受端末２３）が置かれており、ホットスポット２２を提供するサードパーティーのディレクトリサーバー２４には、店内に設置されたホットスポット２２に接続する端末へ付与されるＩＰアドレスと受端末２３とが関連付けされている。
そのため、甲が使用する携帯型のＩＰ電話機２１と受端末２３とは、通話を行っている間は関連付けされている。甲は受端末２３の液晶タッチパネル９から、自分のＩＰ電話機２１の電話番号と種々の設定を入力し、デジタル画像データを受信するように指示する。
受端末２３は甲からの指示を取得すると、Ｆｉｎｄ動作によって、乙が利用しているＩＰ電話機２５と関連付けされた本発明の画像処理装置（以降、発端末２６）のＩＰアドレスを導出する。次に、受端末２３は発端末２６とNegotiation動作を行う。
その間、発端末２６の液晶タッチパネル９には、例えば、甲が使用しているＩＰ電話機２１の電話番号や、受端末２３が設置されている店名など、要求元の情報が表示される。乙は要求元の情報を確認した上で、甲へ渡す紙文書を発端末２６の原稿台へ置き、送信を開始するように指示する。
発端末２６は送信開始の指示を取得すると、Scan to Memory動作とMemory to Network動作を行い、デジタル画像を送信する。受端末２３は、Network to Memory動作とMemory to Print動作を行い、受信したデジタル画像データを紙面に出力する。
このように通話元のＩＰ電話機２１の位置情報から通話先のＩＰ電話機２５と関連付けされた画像処理装置（発端末２６）の位置情報を導出し、発端末２６および受端末２３の画像処理装置がEnd to End接続によりデジタル画像データの送受信を行うことができる。
サードパーティーは、ディレクトリサーバー２４の外、呼制御サーバー２７、アドレス管理サーバー２８を有する。ディレクトリサーバー２４はＩＰ電話機の位置情報と該ＩＰ電話機に関連付けられた画像処理装置の位置情報とを関連づけて管理する情報端末である。また、呼制御サーバー２７はＶｏＩＰを利用して音声通話が可能な端末であるＩＰ電話機の発着信サービスを行う情報処理端末である。さらに、アドレス管理サーバー２８はＩＰ電話機のＩＰアドレスと、ＩＰアドレス以外の位置情報であるエイリアスアドレスとを関連付けて管理する情報処理端末である。
【００２０】
図９は本発明の第２の実施形態に係る画像データの送受信システムの構成図である。支店Ａ、Ｂ、Ｃ、Ｄ、Ｅ、Ｆの会議室（計６ケ所）を中継して電話会議を行っている時に、支店Ａの参加者が支店Ｂ、Ｄ、Ｆの参加者へ、資料を配布する場面を想定する。ＩＰ電話サービスは、複数のＩＰ電話機を使った同時通話が可能なため電話会議に利用されることが多い。
電話会議を開くための準備として、各支店の会議室には、ＩＰ電話機２５と本発明の画像処理装置が１台ずつ置かれている。また、電話会議を管理する社内部署（以降、部署Ｇ）が所有するディレクトリサーバー２４には、それぞれの会議室にあるＩＰ電話機２５と本発明の画像処理装置とが関連付けされている。
まず、支店Ａの参加者（以降、甲）は、ＩＰ電話機２５を使って「資料を配布したい」と、支店Ｂ、Ｃ、Ｄ、Ｅ、Ｆの参加者へ通知する。その結果、支店ＣとＥの参加者は同じ資料を持っており、支店Ｂ、Ｄ、Ｆの参加者のみが配布資料を必要としていた。
甲は、本発明の画像処理装置（以降、発端末２６）の原稿台へ配布資料を置き、液晶タッチパネル９からＩＰ電話機２５の電話番号と種々の設定を入力し、デジタル画像データを送信するように指示する。発端末２６は甲からの指示を取得すると、Scan to Memory動作にて配布資料を読み取り、そのデジタル画像データをＭＥＭ５へ蓄積する。
次に、Find動作によって支店Ｂ、Ｃ、Ｄ、Ｅ、Ｆの会議室に置かれた本発明の画像処理装置（以降、受端末２３）のＩＰアドレスを導出し、Negotiation動作を行う。その間、受端末２３の液晶タッチパネル９には、例えば、甲が使用するＩＰ電話機２５の電話番号や、受端末２３が設置されている支店名といった要求元の情報が表示される。
支店Ｂ、Ｄ、Ｆの参加者は、要求元の情報を確認した上で送信を容認し、支店Ｃ、Ｅの参加者は、要求元の情報を確認した上で送信を拒絶する。発端末２６は、受端末２３からの返答を取得すると、送信要求を容認した画像処理装置とだけ能力交換を行う。
能力交換が終わるとMemory to Network動作を行い、デジタル画像を送信する。支店Ｂ、Ｄ、Ｆの会議室に置かれた画像処理装置は、Network to Memory動作とMemory to Print動作を行い、受信したデジタル画像データを紙面に出力する。
【図面の簡単な説明】
【００２１】
【図１】本発明の画像データの送受信システムに適用される画像処理装置の構成図。
【図２】液晶タッチパネルの表示例１を示す図。
【図３】液晶タッチパネルの表示例２を示す図。
【図４】液晶タッチパネルの表示例３を示す図。
【図５】液晶タッチパネルの表示例４を示す図。
【図６】液晶タッチパネルの表示例５を示す図。
【図７】液晶タッチパネルの表示例６を示す図。
【図８】本発明の第１の実施形態に係る画像データの送受信システムの構成図。
【図９】本発明の第１の実施形態に係る画像データの送受信システムの構成図。
【符号の説明】
【００２２】
６  ＩＰネットワーク
２１  携帯型ＩＰ電話機
２３  受端末（画像処理装置）
２４  ディレクトリサーバー
２５  ＩＰ電話機
２６  発端末（画像処理装置）
２７  呼制御サーバー
２８  アドレス管理サーバー
【図１】
2005340917.tif 000003
【図２】
2005340917.tif 000004
【図３】
2005340917.tif 000005
【図４】
2005340917.tif 000006
【図５】
2005340917.tif 000007
【図６】
2005340917.tif 000008
【図７】
2005340917.tif 000009
【図８】
2005340917.tif 000010
【図９】
2005340917.tif 000011